(57)【要約】【課題】本発明は、柱状光学素子の内部への埃の侵入を防止するように冷却することが可能な投写型表示装置を提供することを目的とする。【解決手段】本発明による投写型表示装置は、反射鏡３ｂにて反射された光の透過時に、回転駆動によって時分割に複数の色に分離する回転型色選択素子４ａと、回転型色選択素子４ａを透過した光の集光位置に入射端面５ａを配置し、入射端面５ａから入射された光の強度分布を均一にした後に出射端面５ｂから出射する柱状光学素子５と、回転型色選択素子４ａおよび柱状光学素子５を冷却する冷却ファン９とを備え、光源３ａから出射された光の光軸Ｃ１と回転型色選択素子４ａの回転軸とは互いに平行ではなく、冷却ファン９から送風された風向きが、柱状光学素子５の入射端面５ａの法線と回転軸とからなる平面に対して垂直方向であることを特徴とする。【選択図】図１
2010175763.tif 000002
【特許請求の範囲】
【請求項１】
光源から出射された光を反射型ライトバルブに照射し、前記反射型ライトバルブにて反射された光を投写光学系を介してスクリーン上に画像として投写する投写型表示装置において、
前記光源から出射された光を反射する反射鏡と、
前記反射鏡にて反射された光の透過時に、回転駆動によって時分割に複数の色に分離する回転型色選択素子と、
前記回転型色選択素子を透過した光の集光位置に入射端面を配置し、前記入射端面から入射された光の強度分布を均一にした後に出射端面から出射する柱状光学素子と、
前記柱状光学素子から出射された光を前記反射型ライトバルブに照射するリレー光学系と、
前記回転型色選択素子および前記柱状光学素子を冷却する冷却ファンと、
を備え、
前記光源から出射された光の光軸と前記回転型色選択素子の回転軸とは互いに平行ではなく、
前記冷却ファンから送風された風向きが、前記柱状光学素子の前記入射端面の法線と前記回転軸とからなる平面に対して垂直方向であることを特徴とする、投写型表示装置。
【請求項２】
光源から出射された光を反射型ライトバルブに照射し、前記反射型ライトバルブにて反射された光を投写光学系を介してスクリーン上に画像として投写する投写型表示装置において、
前記光源から出射された光を反射する反射鏡と、
前記反射鏡にて反射された光の透過時に、回転駆動によって時分割に複数の色に分離する回転型色選択素子と、
前記回転型色選択素子を透過した光の集光位置に入射端面を配置し、前記入射端面から入射された光の強度分布を均一にした後に出射端面から出射する柱状光学素子と、
前記柱状光学素子から出射された光を前記反射型ライトバルブに照射するリレー光学系と、
前記回転型色選択素子および前記柱状光学素子を冷却する冷却ファンと、
を備え、
前記光源から出射された光の光軸と前記回転型色選択素子の回転軸とは互いに平行ではなく、
前記冷却ファンから送風された風向きが、前記光軸と前記回転軸とからなる平面に対して平行方向、かつ、前記回転軸に対して垂直方向であり、かつ、前記柱状光学素子の前記入射端面の下流側の法線方向となす角度が鋭角であることを特徴とする、投写型表示装置。
【請求項３】
前記柱状光学素子の前記入射端面に、耐熱性の高い透明部材をさらに備えることを特徴とする、請求項１または請求項２に記載の投写型表示装置。
【請求項４】
前記冷却ファンと前記柱状光学素子の前記出射端面との間において、前記冷却ファンから送風された風を遮断する遮断板をさらに備えることを特徴とする、請求項１または請求項２に記載の投写型表示装置。
【発明の詳細な説明】
【技術分野】
【０００１】
本発明は、投写型表示装置に関し、特に、反射型ライトバルブの上流側で光学系を冷却する冷却ファンを備えた投写型表示装置に関する。
【背景技術】
【０００２】
従来の一般的な投写型表示装置は、反射型ライトバルブと、反射型ライトバルブに光を照射する光源と、光源からの光を反射型ライトバルブに誘導する誘導光学系と、光源から反射型ライトバルブに至る光の光路上に配置され、光源からの光を所望の色に分離する色選択素子を有する回転型色選択素子と、回転型色選択素子から出射された光の強度分布を均一にする柱状光学素子と、反射型ライトバルブから反射される光を画像としてスクリーンに投写する投写レンズとを主に備えることにより構成されている。
【０００３】
このような投写型表示装置において、柱状光学素子の入射端面が光の集光位置となるため熱が生じてしまい、柱状光学素子および柱状光学素子の近傍に配置される回転型色選択素子を冷却する必要がある。
【０００４】
上記の問題を解決するために、従来では、冷却ファンからカラーホイール（回転型色選択素子）に冷却風を吹き付けることにより、冷却風の方向を回転駆動されるカラーホイールによって変更し、かつ、風速を増した上で光学素子（柱状光学素子）に導くことによって、柱状光学素子および回転型色選択素子を冷却する方法が提案されている（例えば、特許文献１参照）。
【先行技術文献】
【特許文献】
【０００５】
【特許文献１】特開２００４−５３６９２号公報（第４頁、第１図）
【発明の概要】
【発明が解決しようとする課題】
【０００６】
特許文献１では、柱状光学素子が中空である場合において、柱状光学素子の内部に埃が流入し、柱状光学素子の内面に形成された反射面に埃が付着することによって反射型ライトバルブに照射される光の明るさが低下するという問題があった。
【０００７】
本発明は、これらの問題を解決するためになされたもので、柱状光学素子の内部への埃の流入を防止するように冷却することが可能な投写型表示装置を提供することを目的とする。
【課題を解決するための手段】
【０００８】
上記の課題を解決するために、本発明による投写型表示装置は、光源から出射された光を反射型ライトバルブに照射し、反射型ライトバルブにて反射された光を投写光学系を介してスクリーン上に画像として投写し、光源から出射された光を反射する反射鏡と、反射鏡にて反射された光の透過時に、回転駆動によって時分割に複数の色に分離する回転型色選択素子と、回転型色選択素子を透過した光の集光位置に入射端面を配置し、入射端面から入射された光の強度分布を均一にした後に出射端面から出射する柱状光学素子と、柱状光学素子から出射された光を反射型ライトバルブに照射するリレー光学系と、回転型色選択素子および柱状光学素子を冷却する冷却ファンとを備え、光源から出射された光の光軸と回転型色選択素子の回転軸とは互いに平行ではなく、冷却ファンから送風された風向きが、柱状光学素子の入射端面の法線と回転軸とからなる平面に対して垂直方向であることを特徴とする。
【発明の効果】
【０００９】
本発明によると、光源から出射された光の光軸と回転型色選択素子の回転軸とは互いに平行ではなく、冷却ファンから送風された風向きが、光軸と回転軸とからなる平面に対して垂直方向であるため、中空の柱状光学素子の内部への埃の流入を防止するように冷却することが可能である。
【図面の簡単な説明】
【００１０】
【図１】本発明の実施形態１による投写型表示装置の構成図である。
【図２】本発明の実施形態による回転型色選択素子の構成の一例を示す図である。
【図３】本発明の実施形態による回転型色選択素子に照射される光線の軌跡のシミュレーション結果の一例を示す図である。
【図４】従来における投写型表示装置の構成図である。
【図５】従来における冷却ファン周辺の構成図である。
【図６】本発明の実施形態１による冷却ファン周辺の構成図である。
【図７】本発明の実施形態による柱状光学素子の入射端面の拡大図である。
【図８】本発明の実施形態１による柱状光学素子の構造の一例を示す図である。
【図９】本発明の実施形態１による冷却ファン周辺の構成図である。
【図１０】本発明の実施形態２による投写型表示装置の構成図である。
【図１１】本発明の実施形態２による冷却ファン周辺の構成図である。
【図１２】本発明の実施形態２による冷却ファン周辺の構成図である。
【発明を実施するための形態】
【００１１】
本発明の実施形態について、図面を用いて以下に説明する。
【００１２】
〈実施形態１〉
図１は、本発明の実施形態１による投写型表示装置１の構成図である。図１に示すように、本実施形態１による投写型表示装置１は、光源３ａから出射された光を反射型ライトバルブ２に照射し、反射型ライトバルブ２にて反射された光を投写光学系７を介してスクリーン８上に画像として投写するものであって、光源３ａから出射された光を反射する反射鏡３ｂと、反射鏡３ｂにて反射された光の透過時に、回転駆動によって時分割に複数の色に分離する回転型色選択素子４ａと、回転型色選択素子４ａを透過した光の集光位置に入射端面５ａを配置し、入射端面５ａから入射された光の強度分布を均一にした後に出射端面５ｂから出射する柱状光学素子５と、柱状光学素子５から出射された光を反射型ライトバルブ２に照射するリレー光学系６と、回転型色選択素子４ａおよび柱状光学素子５を冷却する冷却ファン９とを備えている。
【００１３】
反射型ライトバルブ２は、本実施形態ではＤＭＤ（Ｄｉｇｉｔａｌ  Ｍｉｃｒｏｍｉｒｒｏｒ  Ｄｅｖｉｃｅ）素子を用いているが、反射型の液晶表示素子など、いかなる反射型ライトバルブを用いてもよい。
【００１４】
光源系３は、光源３ａと光源３ａから出射された光を反射型ライトバルブ２側に反射させる反射鏡３ｂとから構成される。なお、光源３ａは、一般的に高圧水銀ランプ、ハロゲンランプ、キセノンランプが用いられるが、ＬＥＤ（Ｌｉｇｈｔ  Ｅｍｉｔｔｉｎｇ  Ｄｉｏｄｅ）、レーザ、ＥＬ（Ｅｌｅｃｔｒｏ  Ｌｕｍｉｎｅｓｃｅｎｃｅ）など、いかなる発光デバイスであってもよい。
【００１５】
反射鏡３ｂは、柱状光学素子５の入射端面５ａに光が集光すれば、楕円面や放物面などでもよく、形状および構造について特に限定されることはない。反射鏡３ｂの形状が放物面である場合は、柱状光学素子５の入射端面５ａに光を集光させるための凸レンズを反射鏡３ｂの出射側に配置するなどの工夫をすればよい。なお、図中のＣ１は光源系３から反射型ライトバルブ２までの照明光学系の光軸を示し、Ｃ２は反射型ライトバルブ２からスクリーン８までの投写光学系７の光軸を示しており、照明光学系と投写光学系７とを分けて説明することとする。
【００１６】
図２は、本発明の実施形態による回転型色選択素子４ａの構成の一例を示す図であり、図２（ａ）は回転型色選択素子４ａの正面図を、図２（ｂ）は回転型色選択素子４ａの側面図を示している。図２（ａ）に示すように、回転型色選択素子４ａは、赤色選択素子２０Ｒ、２１Ｒ、緑色選択素子２０Ｇ、２１Ｇ、青色選択素子２０Ｂ、２１Ｂの６つの領域に分割されている。例えば、赤色選択素子２０Ｒ、２１Ｒが柱状光学素子５の入射端面５ａと相対した位置に存在すると、光源系３から出射された光のうち赤色の波長の光のみ透過し、緑色および青色の波長の光は反射する特性を有している。同様に、緑色選択素子２０Ｇ、２１Ｇは緑色の波長の光のみ透過させ、青色選択素子２０Ｂ、２１Ｂは青色の波長の光のみ透過させる。なお、本実施形態では、回転型色選択素子４ａを６つの領域に分割しているが、分割数に制限は無く、等角度で分割しなくてもよい。また、黄、シアン、マゼンタ、全色を選択的に透過させる色選択素子を用いて回転型色選択素子４ａを構成してもよい。
【００１７】
図２に示すように、回転型色選択素子４ａでは、モータ部４ｂが回転駆動することによって時分割に赤色、緑色、青色に分離しており、回転型色選択素子４ａと反射型ライトバルブ２とを同期させることによって、スクリーン８上に画像を表示させている。
【００１８】
また、図２（ｂ）に示すように、回転型色選択素子４ａは光軸Ｃ１に対して角度を有して配置されている。すなわち、光源３ａから出射された光の光軸Ｃ１と回転型色選択素子４ａの回転軸とは互いに平行ではない。これは、回転型色選択素子４ａに照射した後に反射された光が光源３ａに戻ることによって生じる熱による光源３ａの劣化を抑制するためである。
【００１９】
図３は、本発明の実施形態による回転型色選択素子４ａに照射される光線の軌跡のシミュレーション結果の一例を示す図である。便宜上、光源３ａから回転型色選択素子４ａまでの光線の軌跡を図示している。図３（ａ）は、回転型色選択素子４ａが光軸Ｃ１に対して角度を有さずに配置（すなわち、回転型色選択素子４ａが光軸Ｃ１に対して垂直に配置）している場合について示している。図３（ａ）に示すように、回転型色選択素子４ａに照射した後に反射された光線３０は、光源３ａに概ね集光していることが確認され、光源３ａの熱による劣化に影響を与えていることが分かる。図３（ｂ）は、回転型色選択素子４ａが光軸Ｃ１に対して角度を有して配置している場合について示している。図３（ｂ）に示すように、回転型色選択素子４ａに照射した後に反射された光線３１は、光源３ａに到達しているが集光していないため、回転型色選択素子４ａが光軸Ｃ１に対して角度を有さずに配置している場合（図３（ａ））よりも光源３ａに照射される光の熱による光源３ａの劣化を低減することが可能となる。
【００２０】
柱状光学素子５は、回転型色選択素子４ａを透過した光の集光位置に入射端面５ａを配置し、入射端面５ａから入射された光の断面内（光軸Ｃ１上を進む中心光に垂直な平面内）における強度分布を均一化する。すなわち、出射端面５ｂから反射型ライトバルブ２に照射する光の照度むらを低減している。なお、入射端面５ａは光軸Ｃ１に対して垂直である。柱状光学素子５としては、例えば、光反射面を内側にして筒状に組み合わせた、断面形状が四辺形のパイプ（管状部材）がある。柱状光学素子５の断面形状が四辺形のパイプである場合において、内側に向けられた光反射面の反射作用を利用して、入射端面５ａから入射した光を複数回反射させた後に出射端面５ｂから出射させる。柱状光学素子５は、光の進行方向に適当な長さを確保することによって、柱状光学素子５の内側にて複数回反射した光が出射端面５ｂの近傍に重畳照射されて略均一な強度分布が得られる。このようにして得られた強度分布が略均一な光は、出射端面５ｂから出射されてリレー光学系６を介して反射型ライトバルブ２へと導かれる。なお、本実施形態では、柱状光学素子５として、断面形状が四辺形のパイプである場合について説明するものとする。
【００２１】
反射型ライトバルブ２は、各画素に対応する多数（例えば、数十万個）の可動式のマイクロミラー（図示せず）を平面上に配列したものであり、画素情報に応じて各マイクロミラーの傾斜を変化させるように構成されている。マイクロミラーが配列された面（マイクロミラーが配列された基板の表面）を基準面とすると、マイクロミラーを基準面に対して一定の方向に角度β（例えば、１２度）だけ傾けることによって、反射型ライトバルブ２に入射された光を投写光学系７に向けて反射させ、反射した光は投写光学系７を介してスクリーン８上に画像として投写される。一方、マイクロミラーを基準面に対して角度−βだけ傾けることによって、反射型ライトバルブ２に入射された光を投写光学系７から離れた位置に配置された光吸収板（図示せず）に向けて反射させ、反射した光はスクリーン８上に画像として投写されない。
【００２２】
投写光学系７は、図１に示すように、光軸Ｃ２に対して垂直方向に偏芯させた位置に配置されている。なお、投写光学系７において、光軸Ｃ２に対して垂直方向に移動する機構を備えることによって、スクリーン８への画像投写位置を上下左右に移動させてもよい。
【００２３】
冷却ファン９は、図１に示すように、紙面に対して裏面から表面に向かって垂直に送風するように配置されている。このように配置することによって、柱状光学素子５の入射端面５ａから風が流入しにくくなって埃が内部に入りにくくなるため、柱状光学素子５の内部の反射膜の特性の劣化を抑制することが可能となる。
【００２４】
図４は、従来における投写型表示装置１ｂの構成図である。図４において、冷却ファン９ｂ以外の構成および動作は、本実施形態１による投写型表示装置１と同様であるため、ここでは説明を省略する。また、反射型ライトバルブ２からスクリーン８までの投写光学系８は、図１と同様であるため図示を省略している。
【００２５】
図５は、従来における冷却ファン９ｂ周辺の構成図である。図４および図５に示すように、従来の投写型表示装置１ｂでは、回転型色選択素子４ａおよび柱状光学素子５を冷却させるために、冷却ファン９ｂから送風された風を回転型色選択素子４ａにて風向き５０に変化させて入射端面５ａから柱状光学素子５内に流入させている。従って、埃が柱状光学素子５の内部に流入する恐れがあり、柱状光学素子５の内面の光反射面に埃が付着することによって出射端面５ｂから出射される光の明るさが低下してしまう。なお、図４および図５に示す従来の投写型表示装置１ｂにおいて、回転型色選択素子４ａが光軸Ｃ１に対して角度を有していなければ（すなわち、回転型色選択素子４ａが光軸Ｃ１に対して垂直であれば）、冷却ファン９ｂから送風された風が柱状光学素子５に流入しにくくなるため、上記の問題は生じにくくなる。
【００２６】
図６は、本発明の実施形態１による冷却ファン９周辺の構成図である。図６に示すように、冷却ファン９から送風された風向き６０が、光軸Ｃ１と回転型色選択素子４ａの回転軸とからなる平面に対して垂直方向であるため、回転型色選択素子４ａによって風向き６０が変化されることはなく、柱状光学素子５の入射端面５ａから流入する埃を軽減することが可能となる。
【００２７】
図７は、本発明の実施形態による柱状光学素子５の入射端面５ａの拡大図である。図７に示すように、本実施形態による柱状光学素子５は、内面側に光反射面が形成されたガラス板７０Ｔ、７０Ｂ、７０Ｒ、７０Ｌの各々を、接着層７０ａ、７０ｂ、７０ｃ、７０ｄによって接着して形成される。柱状光学素子５に熱が生じると、熱によって接着層７０ａ、７０ｂ、７０ｃ、７０ｄによる接着力が弱くなってガラス板７０Ｔ、７０Ｂ、７０Ｒ、７０Ｌが剥離する恐れがあるため、柱状光学素子５を全体的に冷却する必要がある。このとき、柱状光学素子５の内部を冷却する必要はなく、柱状光学素子５の側面を冷却することによって柱状光学素子５の全体が冷却されるため、ガラス板７０Ｔ、７０Ｂ、７０Ｒ、７０Ｌの剥離を防ぐことが可能となる。
【００２８】
図８は、本発明の実施形態１による柱状光学素子５の構造の一例を示す図である。冷却ファン９の周辺を図６に示すような構成にすることによって、柱状光学素子５の入射端面５ａから流入する埃を軽減することが可能となった。図８では、柱状光学素子５の入射端面５ａに耐熱性ガラス（耐熱性の高い透明部材）８０をさらに備えることによって、柱状光学素子５の入射端面５ａからの埃の流入を完全に防止することを可能としている。
【００２９】
一方、図８において、柱状光学素子５の出射端面５ｂと反射型ライトバルブ２とは共役関係となるため、柱状光学素子５の出射端面５ｂに耐熱性ガラス８０を備えることは好ましくない。例えば、柱状光学素子５の出射端面５ｂに耐熱性ガラス８０を備えた場合において、耐熱性ガラス８０の表面に埃が付着すると、付着した埃が反射型ライトバルブ２に結像してスクリーン８に投写されるという問題が生じる。
【００３０】
図９は、本発明の実施形態１による冷却ファン９周辺の構成図である。図９に示すように、冷却ファン９と柱状光学素子５の出射端面５ｂとの間において、冷却ファン９から送風された風６０を遮断する遮断板９０をさらに備えることによって、冷却ファン９から送風された風６０が柱状光学素子５の出射端面５ｂから流入することを防止するため、柱状光学素子５の内部への埃の流入を防止することが可能となる。ここで、遮断板９０によって遮断された風６１は破線矢印によって示されている。冷却ファン９周辺を図９に示すような構成とすることによって、柱状光学素子５の入射端面５ａに耐熱性ガラス８０を設置する如何に関わらず出射端面５ｂからの埃の流入を防止することができるが、入射端面５ａに耐熱性ガラス８０を備えれば柱状光学素子５の内部への埃の流入をさらに防止することが可能となる。なお、遮断板９０は、柱状光学素子５の出射端面５ｂからの風の流入を防ぐことが可能であれば、平面、凹面、凸面など、いかなる形状であってもよい。また、風６０の風向きが風６０の矢印方向となるように、冷却ファン９と遮光板９０との間にダクトを設置してもよい。このとき、冷却ファン９の設置位置は図９に示される位置に限定されない。
【００３１】
以上のことから、光源３ａから出射された光の光軸Ｃ１と回転型色選択素子４ａの回転軸とは互いに平行ではなく、冷却ファン９から送風された風向き６０が、光軸Ｃ１と回転軸とからなる平面に対して垂直方向であるため、柱状光学素子５の内部への埃の流入を防止するように冷却することが可能となる。また、柱状光学素子５の入射端面５ａに耐熱性ガラス８０を備えることによって、入射端面５ａからの埃の流入を防止することが可能となる。さらに、冷却ファン９と柱状光学素子５の出射端面５ｂと間に遮断板９０を設置することによって、出射端面５ｂからの埃の流入を防止することが可能となる。
【００３２】
〈実施形態２〉
図１０は、本発明の実施形態２による投写型表示装置１ｃの構成図である。図１０に示すように、本実施形態２による投写型表示装置１ｃでは、冷却ファン９ｃの設置位置が実施形態１とは異なることを特徴としている。その他の構成および動作は、実施形態１と同様であるため、ここでは説明を省略する。
【００３３】
図１１は、本発明の実施形態２による冷却ファン９ｃ周辺の構成図である。図１１に示すように、光源３ａから出射された光の光軸Ｃ１と回転型色選択素子４ａの回転軸とは平行ではなく、冷却ファン９ｃから送風された風の風向き１１０が、光軸Ｃ１と回転軸とからなる平面に対して平行方向、かつ、回転軸に対して垂直方向であり、かつ、光軸Ｃ１の下流方向となす角度αが鋭角であることを特徴としている。すなわち、光軸Ｃ１と回転型色選択素子４ａとのなす角度をαとすると、光軸Ｃ１と風向き１１０とのなす角度もαとなる。従って、図１１に示すような構成とすることによって、冷却ファン９ｃから送風された風が回転型色選択素子４ａにて反射されて柱状光学素子５の内部に流入することを防止することが可能となる。
【００３４】
図１１に示すような構成において、冷却ファン９ｃは、回転型色選択素子４ａと柱状光学素子５の入射端面５ａとの距離が短い側に設置して送風する（すなわち、＋ｙ軸方向から柱状光学素子５に向かって送風する）必要がある。これは、冷却ファン９ｃを回転型色選択素子４ａと柱状光学素子５の入射端面５ａとの距離が長い側に設置して送風する（すなわち、−ｙ軸方向から柱状光学素子５に向かって送風する）と、入射端面５ａから直接風が流入することによって、柱状光学素子５の内部に埃が流入する恐れがあるためである。
【００３５】
また、図１１に示すような構成において、柱状光学素子５の入射端面５ａに耐熱性ガラス（耐熱性の高い透明部材）（例えば、図８に示す耐熱性ガラス８０）をさらに備えることによって、柱状光学素子５の入射端面５ａからの埃の流入を完全に防止することを可能としている。
【００３６】
図１２は、本発明の実施形態２による冷却ファン９ｃ周辺の構成図である。図１２に示すように、冷却ファン９ｃと柱状光学素子５の出射端面５ｂとの間において、冷却ファン９ｃから送風された風向き１１０の風を遮断する遮断板１２０をさらに備えることによって、冷却ファン９ｃから送風された風向き１１０の風が柱状光学素子５の出射端面５ｂから流入することを防止するため、柱状光学素子５の内部への埃の流入を防止することが可能となる。ここで、遮断板１２０によって遮断された風１１１は破線矢印によって示されている。冷却ファン９周辺を図１２に示すような構成にすることによって、柱状光学素子５の入射端面５ａに耐熱性ガラスを設置する如何に関わらず出射端面５ｂからの埃の流入を防止することができるが、入射端面５ａに耐熱性ガラスを備えれば柱状光学素子５の内部への埃の流入をさらに防止することが可能となる。なお、遮断板１２０は、柱状光学素子５の出射端面５ｂからの風の流入を防ぐことが可能であれば、平面、凹面、凸面など、いかなる形状であってもよい。また、風向き１１０となるように、冷却ファン９ｃと遮光板１２０との間にダクトを設置してもよい。このとき、冷却ファン９ｃの設置位置は図１２に示される位置に限定されない。
【００３７】
以上のことから、光源３ａから出射された光の光軸Ｃ１と回転型色選択素子４ａの回転軸とは平行ではなく、冷却ファン９ｃから送風された風向き１１０が、光軸Ｃ１と回転軸とからなる平面に対して平行方向、かつ、回転軸に対して垂直方向であり、かつ、光軸Ｃ１の下流方向となす角度αが鋭角であるため、柱状光学素子５の内部への埃の流入を防止するように冷却することが可能となる。また、柱状光学素子５の入射端面５ａに耐熱性ガラスを備えることによって、入射端面５ａからの埃の流入を防止することが可能となる。さらに、冷却ファン９ｃと柱状光学素子５の出射端面５ｂと間に遮断板１２０を設置することによって、出射端面５ｂからの埃の流入を防止することが可能となる。
【符号の説明】
【００３８】
１  投写型表示装置、２  反射型ライトバルブ、３  光源系、４ａ  回転型色選択素子、４ｂ  モータ部、５  柱状光学素子、５ａ  入射端面、５ｂ  出射端面、６  リレー光学系、７  投写光学系、８  スクリーン、９  冷却ファン、８０  耐熱性ガラス、９０  遮断板、１２０  遮断板。
【図１】
2010175763.tif 000003
【図２】
2010175763.tif 000004
【図３】
2010175763.tif 000005
【図４】
2010175763.tif 000006
【図５】
2010175763.tif 000007
【図６】
2010175763.tif 000008
【図７】
2010175763.tif 000009
【図８】
2010175763.tif 000010
【図９】
2010175763.tif 000011
【図１０】
2010175763.tif 000012
【図１１】
2010175763.tif 000013
【図１２】
2010175763.tif 000014